(57)【要約】  【課題】画像処理に係るサービスにおいて、画像処理装置のコストアップを抑制しつつ、課金量が残金の範囲内であるかどうかの判断を迅速に行い、且つ最終的に詳細で厳密な課金を行う手段を提供すること。  【解決手段】ジョブ実行前に、簡略な課金テーブルを用いて課金量の概算を行い、概算の課金量が残金を超えていれば、ジョブ実行を禁止し、残金以内であれば、ジョブを実行する。ジョブ終了後に、詳細なジョブ情報および詳細な課金テーブルに基づいて、概算の課金量の正誤を判定し、誤りがある場合には修正して、正確な課金を行う。【選択図】図４
2010072935.tif 000002
【特許請求の範囲】
【請求項１】
画像処理ジョブを実行する画像処理装置と、当該画像処理装置で実行される画像処理ジョブに対し第１の課金テーブルに基づき課金を行う課金管理サーバとがネットワークを介して接続された課金管理システムであって、
前記画像処理装置は、
残金情報を課金管理サーバから取得する残金情報取得手段と、
画像処理ジョブを実行するジョブ実行手段と、
前記画像処理ジョブの実行前もしくは実行中に、前記第１の課金テーブルよりも簡易な第２の課金テーブルに基づき当該ジョブの実行に要する仮料金を算出する仮料金算出手段と、
前記残金と仮料金を比較して、当該ジョブを当該残金内で実行できないと判断した場合に、ジョブ実行手段に対し、当該画像処理ジョブの実行を禁止する禁止手段と、
少なくとも一部の画像処理ジョブが実行された場合に、当該実行された分の画像処理ジョブの実行内容に関する情報を課金管理サーバに送信する送信手段と、
を備え、
前記課金管理サーバは、
前記画像処理装置から画像処理ジョブの実行内容に関する情報を受信する受信手段と、
当該受信した画像処理ジョブの実行内容に関する情報に基づき、前記第１の課金テーブルを参照して本料金を算出する本料金算出手段と、
前記本料金算出手段により算出された本料金に基づき、残金情報を更新する更新手段と、
前記更新手段により更新された残金情報を記憶する記憶手段と
を備えることを特徴とする課金管理システム。
【請求項２】
前記本料金算出手段は、
画像処理装置における仮料金に関する情報を取得する仮料金取得手段と、
前記受信した画像処理ジョブの実行内容に関する情報に、前記第１と第２の課金テーブルによる課金額の相違をもたらす情報が含まれるか否かを判定する判定手段と、
課金額に相違をもたらす情報がある場合に、当該情報に基づき前記仮料金を修正して本料金を取得し、相違がない場合には仮料金を本料金とみなす
ことを特徴とする請求項１に記載の課金管理システム。
【請求項３】
前記本料金算出手段は、画像処理ジョブが終了する毎に本料金を算出すると共に、
前記更新手段は、その都度残金情報の更新を行うことを特徴とする請求項１または２に記載の課金管理システム。
【請求項４】
前記本料金算出手段は、所定の時刻になると本料金を算出し、
前記更新手段は、
前記所定の時刻までの間は、前記仮料金を用いて残金情報を仮に更新し、当該所定の時刻になると前記算出された本料金に基づき仮の残金情報を修正して更新することを特徴とする請求項２に記載の課金管理システム。
【請求項５】
前記画像処理装置は、
前記画像処理ジョブについて発生した仮料金と当該画像処理ジョブの実行内容に関する情報に同一のジョブ識別情報を付与する識別情報付与手段と、
ジョブの実行が終了する毎に前記仮料金とそのジョブ識別情報を課金管理サーバに通知する通知手段を備え、
前記課金管理サーバにおける本料金算出手段は、
所定の時刻になると前記ジョブ識別情報により特定される画像処理ジョブの実行内容に関する情報を画像処理装置から取得し、本料金を算出する
ことを特徴とする請求項４に記載の課金管理システム。
【請求項６】
前記画像処理装置は、
少なくとも、コピージョブ、プリントジョブ、ＦＡＸ送信ジョブのうち１つの画像処理ジョブの実行が可能な画像処理装置であって、
前記第１と第２の課金テーブルによる課金額の相違をもたらす情報として、トナー使用量、シートサイズ、ＦＡＸ通信時間のうち、少なくとも１つの情報が含まれることを特徴とする請求項２から５のいずれかに記載の課金管理システム。
【請求項７】
前記画像処理装置は、画像処理サービスを提供する外部サービス提供装置とネットワークを介して接続されると共に、
当該外部サービス提供装置を利用してジョブを実行した場合に、当該外部サービス提供装置から、その実行したジョブに関する情報を取得する外部サービスジョブ情報取得手段と、当該外部サービス提供装置で実行したジョブの課金条件に関する情報を取得する外部サービス課金条件取得手段とを備え、
前記仮料金算出手段および本料金算出手段は、それぞれ装置本体で実行したジョブに対する前記第１と第２の課金テーブルによる課金に加え／もしくはそれに代えて、前記外部サービス提供装置で実行したジョブに関する情報およびその課金条件に関する情報を参照して、それぞれ仮料金および本料金を算出する
ことを特徴とする請求項１から６のいずれかに記載の課金管理システム。
【請求項８】
画像処理ジョブを実行する画像処理装置と、当該画像処理装置で実行される画像処理ジョブに対し第１の課金テーブルを参照して課金を行う課金管理サーバとがネットワークを介して接続された課金管理システムにおける画像処理装置であって、
残金情報を課金管理サーバから取得する残金情報取得手段と、
画像処理ジョブを実行するジョブ実行手段と、
前記画像処理ジョブの実行前もしくは実行中に、前記第１の課金テーブルよりも簡易な第２の課金テーブルに基づき仮料金を算出する仮料金算出手段と、
前記残金と仮料金を比較して、当該ジョブを当該残金内で実行できないと判断した場合には、ジョブ実行手段に対し、当該画像処理ジョブの実行を禁止する禁止手段と、
少なくとも一部の画像処理ジョブが実行された場合に、当該実行された分の画像処理ジョブの実行内容に関する情報を前記課金管理サーバに送信する送信手段と
を備えることを特徴とする画像処理装置。
【請求項９】
画像処理ジョブを実行する画像処理装置と、当該画像処理装置で実行される画像処理ジョブに対し第１の課金テーブルを参照して課金を行う課金管理サーバとがネットワークを介して接続された課金管理システムにおける画像処理装置で実行される課金制御方法であって、
残金情報を課金管理サーバから取得する取得ステップと、
画像処理ジョブの実行前もしくは実行中に、前記第１の課金テーブルよりも簡易な第２の課金テーブルに基づき仮料金を算出する仮料金算出ステップと、
前記残金と仮料金を比較して、当該ジョブを当該残金内で実行できないと判断した場合には、当該画像処理ジョブの実行を禁止する禁止ステップと、
少なくとも一部の画像処理ジョブが実行された場合に、当該実行された分の画像処理ジョブの実行内容に関する情報を前記課金管理サーバに送信する送信ステップと、
を含むことを特徴とする課金制御方法。
【請求項１０】
画像処理ジョブを実行する画像処理装置と、当該画像処理装置で実行される画像処理ジョブに対し第１の課金テーブルを参照して課金を行う課金管理サーバとがネットワークを介して接続された課金管理システムにおける画像処理装置で実行される課金管理プログラムを記録する記憶媒体であって、
前記課金管理プログラムは、
残金情報を課金管理サーバから取得する取得処理と、
画像処理ジョブの実行前もしくは実行中に、前記第１の課金テーブルよりも簡易な第２の課金テーブルに基づき仮料金を算出する仮料金算出処理と、
当該ジョブを当該残金内で実行できないと判断した場合に、当該画像処理ジョブの実行を禁止する禁止処理と、
少なくとも一部の画像処理ジョブが実行された場合に、当該実行された分の画像処理ジョブの実行内容に関する情報を前記課金管理サーバに送信する送信処理と、
を画像処理装置のコンピュータに実行させることを特徴とする記憶媒体。
【請求項１１】
実行する画像処理ジョブに対して課金する画像処理装置であって、
画像処理ジョブを実行するジョブ実行手段と、
残金情報を記憶する記憶手段と、
第１の課金テーブルと、第１の課金テーブルよりも簡易な第２の課金テーブルを保持するテーブル保持手段と、
前記画像処理ジョブの実行前もしくは実行中に、第２の課金テーブルに基づき、当該ジョブについて発生する仮料金を算出し、前記残金と仮料金を比較して、当該ジョブを当該残金内で実行できないと判断した場合には、ジョブ実行手段に対し、当該画像処理ジョブの実行を禁止する禁止手段と、
少なくとも一部の画像処理ジョブが実行された場合において、当該実行された分の画像処理ジョブについて、前記第１の課金テーブルに基づいて本料金を求め、前記記憶手段における残金情報を更新する更新手段と
を備えたことを特徴とする画像処理装置。
【請求項１２】
第１の課金テーブルと、第１の課金テーブルよりも簡易な第２の課金テーブルを保持する画像処理装置において実行される画像形成ジョブに対して課金する課金制御方法であって、
残金情報を取得する取得ステップと、
前記画像処理ジョブの実行前もしくは実行中に、前記第２の課金テーブルに基づき、当該ジョブについて発生する仮料金を算出する仮料金算出ステップと、
当該ジョブを当該ユーザーの残金内で実行できないと判断した場合に、当該画像処理ジョブの実行を禁止する禁止ステップと、
少なくとも一部の画像処理ジョブが実行された場合において、当該実行された分の画像処理ジョブについて、前記第１の課金テーブルに基づいて本料金を算出する本料金算出ステップと、
算出された本料金に基づき残金情報を更新する更新ステップと
を備えたことを特徴とする課金制御方法。
【請求項１３】
第１の課金テーブルと第１の課金テーブルよりも簡易な第２の課金テーブルを保持するテーブル保持手段を備えた画像処理装置において実行される画像形成ジョブに対して課金する課金管理プログラムを記録する記録媒体であって、
前記課金管理プログラムは、
残金情報を取得する取得処理と、
画像処理ジョブの実行前もしくは実行中に、第２の課金テーブルに基づき仮料金を算出する仮料金算出処理と、
当該ジョブを当該残金内で実行できないと判断した場合に、ジョブ実行手段に対し、当該画像処理ジョブの実行を禁止する禁止する禁止処理と、
少なくとも一部の画像処理ジョブが実行された場合に、当該実行された分の画像処理ジョブの実行内容に関する情報を取得し、前記第１の課金テーブルに基づき本料金を算出する本料金算出処理と、
前記算出された本料金に基づき残金情報を更新する更新処理と
を画像処理装置のコンピュータに実行させる
ことを特徴とする記録媒体。
【発明の詳細な説明】
【技術分野】
【０００１】
本発明は、画像処理装置で実行されるジョブに対して課金する技術に関する。
【背景技術】
【０００２】
従来より、ＭＦＰ（Ｍｕｌｔｉｆｕｎｃｔｉｏｎ  Ｐｅｒｉｐｈｅｒａｌ：多機能周辺装置）等の画像処理装置が実行する画像処理ジョブに対する課金計算および課金管理において、課金テーブル（課金計算を行う際の様々な課金対象項目とそれに対応する課金量を示すパラメータ値がテーブルを構成しているファイル）を課金管理サーバから画像処理装置へとダウンロードし、それに基づいて画像処理装置側でジョブの実行前あるいはジョブの実行と平行して課金計算を行うものが提案されている。このようにすることで、プリント枚数などが予算を超える前にジョブの実行を事前に禁止することができ、予算以上のジョブの実行を防いでいる。
【０００３】
また、画像処理装置において印刷枚数やトナー使用量等の消耗品使用量の情報を取得し、取得した情報をジョブ実行後にＥメールで課金管理サーバへと送信して、当該情報に基づいて課金を行う方法が特許文献１において開示されている。
【特許文献１】特開２００２−６７４５１号公報
【発明の開示】
【発明が解決しようとする課題】
【０００４】
ＭＦＰ等の画像処理装置の高性能化、高機能化に伴い、画像処理ジョブ実行の際にユーザーが設定できる項目も、より詳細且つ多岐にわたるようになっている。それに従い、画像処理ジョブの課金計算に使用される画像処理ジョブに関する情報の種類、量共に増加しているのに加え、課金テーブルのファイルサイズも大きくなっている。その結果、従来のようにジョブの実行と平行して課金計算を行わせるとＣＰＵの負荷が増大し、処理時間も長くなるという問題がある。この問題を解消するために、高性能のＣＰＵを画像処理装置に搭載するとなると、コストアップにつながるという問題が生じることとなる。
【０００５】
一方、ＣＰＵの負荷の増大を抑えつつ、画像処理ジョブに関する詳細な情報に基づいて正確な課金計算を行うために、ジョブの実行と平行してではなく、特許文献１のようにジョブ実行後に課金計算を行うとすることも出来るが、この方法では、課金量の事前の上限管理を行うことが出来ず、ユーザーが支払うことの出来る金額を大きく超えて画像形成ジョブを実行してしまう可能性がある。
【０００６】
本発明は、上記事情に鑑みてなされたものであって、コストアップを抑制しつつ、課金量が残金の範囲内であるかどうかの判断を迅速に行い、且つ最終的に詳細で厳密な課金を行うことが可能な課金管理方法、課金管理装置、画像処理装置ならびに課金管理システムを提供することを目的とする。
【課題を解決するための手段】
【０００７】
上記、課題を解決するため、本発明に係る課金管理システムは、画像処理ジョブを実行する画像処理装置と、当該画像処理装置で実行される画像処理ジョブに対し第１の課金テーブルに基づき課金を行う課金管理サーバとがネットワークを介して接続された課金管理システムであって、前記画像処理装置は、残金情報を課金管理サーバから取得する残金情報取得手段と、画像処理ジョブを実行するジョブ実行手段と、前記画像処理ジョブの実行前もしくは実行中に、前記第１の課金テーブルよりも簡易な第２の課金テーブルに基づき当該ジョブの実行に要する仮料金を算出する仮料金算出手段と、前記残金と仮料金を比較して、当該ジョブを当該残金内で実行できないと判断した場合に、ジョブ実行手段に対し、当該画像処理ジョブの実行を禁止する禁止手段と、少なくとも一部の画像処理ジョブが実行された場合に、当該実行された分の画像処理ジョブの実行内容に関する情報を課金管理サーバに送信する送信手段と、を備え、前記課金管理サーバは、前記画像処理装置から画像処理ジョブの実行内容に関する情報を受信する受信手段と、当該受信した画像処理ジョブの実行内容に関する情報に基づき、前記第１の課金テーブルを参照して本料金を算出する本料金算出手段と、前記本料金算出手段により算出された本料金に基づき、残金情報を更新する更新手段と、前記更新手段により更新された残金情報を記憶する記憶手段とを備えることを特徴とする。
【発明の効果】
【０００８】
本発明により、コストを抑制しつつ、仮料金が残金の範囲内であるかどうかの判断を迅速に行い、且つ詳細な本料金を算出し、正確な課金を行うことが出来るという効果が得られる。何故なら、仮料金の算出に用いる第１の課金テーブルは、本料金の算出に用いる第２の課金テーブルよりも詳細度が低くて情報量も少ないため、仮料金算出に際してのＣＰＵにかかる負荷が比較的小さく、その結果、高速のＣＰＵや大容量の記憶媒体を設置するコストを抑えることが出来ると同時に仮料金の算出を迅速に行えるからである。更に、第１の課金テーブルよりも詳細な第２の課金テーブルを基に本料金を算出して残金情報を更新するため、詳細な課金も行うことが出来るからである。
【０００９】
ここで、前記本料金算出手段は、画像処理装置における仮料金に関する情報を取得する仮料金取得手段と、前記受信した画像処理ジョブの実行内容に関する情報に、前記第１と第２の課金テーブルによる課金額の相違をもたらす情報が含まれるか否かを判定する判定手段と、課金額に相違をもたらす情報がある場合に、当該情報に基づき前記仮料金を修正して本料金を取得し、相違がない場合には仮料金を本料金とみなすとしてもよい。
【００１０】
これにより、全ての画像処理ジョブについて本料金を計算する場合と比較して、サーバーに発生する負荷を軽減することが出来る。
また、前記本料金算出手段は、画像処理ジョブが終了する毎に本料金を算出すると共に、前記更新手段は、その都度残金情報の更新を行うとしてもよい。
これにより、常に最新の残金情報に基づいて、残金内で画像処理ジョブが実行できるかどうか判断することが出来る。
【００１１】
更に、前記本料金算出手段は、所定の時刻になると本料金を算出し、前記更新手段は、前記所定の時刻までの間は、前記仮料金を用いて残金情報を仮に更新し、当該所定の時刻になると前記算出された本料金に基づき仮の残金情報を修正して更新するとしてもよい。
これにより、ジョブの終了毎に毎回本料金を算出する場合と比較して、課金管理サーバへに生じる負担を軽減することができる。
【００１２】
また、ここで、前記画像処理装置は、前記画像処理ジョブについて発生した仮料金と当該画像処理ジョブの実行内容に関する情報に同一のジョブ識別情報を付与する識別情報付与手段と、ジョブの実行が終了する毎に前記仮料金とそのジョブ識別情報を課金管理サーバに通知する通知手段を備え、前記課金管理サーバにおける本料金算出手段は、所定の時刻になると前記ジョブ識別情報により特定される画像処理ジョブの実行内容に関する情報を画像処理装置から取得し、本料金を算出するとしてもよい。
【００１３】
これにより、画像処理装置を使用するユーザーの多い時間帯等に、画像処理ジョブを実行しつつ画像処理ジョブの実行内容に関する情報を課金管理サーバに送信する画像処理装置への負荷を軽減すると共に、ネットワークの通信負荷も軽減できる。
ここで、前記画像処理装置は、少なくとも、コピージョブ、プリントジョブ、ＦＡＸ送信ジョブのうち１つの画像処理ジョブの実行が可能な画像処理装置であって、前記第１と第２の課金テーブルによる課金額の相違をもたらす情報として、トナー使用量、シートサイズ、ＦＡＸ通信時間のうち、少なくとも１つの情報が含まれるとしてもよい。
【００１４】
また、前記画像処理装置は、画像処理サービスを提供する外部サービス提供装置とネットワークを介して接続されると共に、当該外部サービス提供装置を利用してジョブを実行した場合に、当該外部サービス提供装置から、その実行したジョブに関する情報を取得する外部サービスジョブ情報取得手段と、当該外部サービス提供装置で実行したジョブの課金条件に関する情報を取得する外部サービス課金条件取得手段とを備え、前記仮料金算出手段および本料金算出手段は、それぞれ装置本体で実行したジョブに対する前記第１と第２の課金テーブルによる課金に加え／もしくはそれに代えて、前記外部サービス提供装置で実行したジョブに関する情報およびその課金条件に関する情報を参照して、それぞれ仮料金および本料金を算出するとしてもよい。
【００１５】
これにより、前記画像処理装置が行わない画像処理ジョブについても、当該画像処理装置に宛てて発行することが出来、ユーザーの利便性に資することが出来る。
ここで、本発明は、上述の装置で実施される課金制御方法、または当該方法を実現するプログラムを記憶した記憶媒体の形態としても、同様の効果が得られる。
【発明を実施するための最良の形態】
【００１６】
以下、本発明に係る実施の形態を、図面に基づいて説明する。
＜実施の形態１＞
（１−１．全体構成）
図１は、本発明の実施の形態１に係る課金管理システム（以下、単に「システム」という。）の概略構成を示す図である。
【００１７】
同図に示すように、このシステムは、ユーザーのオフィス等に配される画像処理装置１００、課金管理サーバ２００、およびクライアント装置３００がＬＡＮ（Ｌｏｃａｌ  Ａｒｅａ  Ｎｅｔｗｏｒｋ）１を介して接続された構成となっている。
画像処理装置１００は、プリンタ機能、コピー機能、ＦＡＸ機能およびスキャン機能を有する複合機である。
【００１８】
クライアント装置３００は、パーソナルコンピュータから成り、インストールされたアプリケーションソフトウェアにより作成された文書や画像などをシート上にプリントする処理（以下、「プリントジョブ」という。）を、画像処理装置１００宛てに発行して実行させる。
（１−２．画像処理装置１００の構成）
図２は、画像処理装置１００の概略構成を示すブロック図である。当該画像処理装置１００は、同図に示すように、操作パネル１０１、スキャナ部１０２、プリンタ部１０３、通信インターフェース（Ｉ／Ｆ）部１０４、モデム１０５等を備え、それらはそれぞれ制御部１１０に接続されている。
【００１９】
操作パネル１０１は、ユーザーにジョブ入力手段を提供するほか、ジョブの進行状態やエラーメッセージ等を表示する。
スキャナ部１０２は、原稿上の画像を走査し、原稿面からの反射光を画像信号に変換して、前記原稿から画像データを読み取る。
プリンタ部１０３は、例えば、公知の電子写真方式の画像形成装置からなり、通信Ｉ／Ｆ部１０４を介して外部のＰＣ等のクライアント装置より受付けたプリントジョブを実行し、スキャナ部１０２で読み取られた画像データや、後述するモデム１０５を介して受信したＦＡＸデータをシート上に画像形成する。
【００２０】
通信Ｉ／Ｆ部１０４は、ＬＡＮに接続するためのインターフェースであり、ＬＡＮカードやＬＡＮボードからなる。
モデム１０５は、ＮＣＵ（Ｎｅｔｗｏｒｋ  Ｃｏｎｔｒｏｌ  Ｕｎｉｔ）１０６を介して公衆電話網などと接続され、所望の相手先との間でＦＡＸデータの送受信を行う。
制御部１１０は、主な構成要素として、ＣＰＵ（Ｃｅｎｔｒａｌ  Ｐｒｏｃｅｓｓｉｎｇ  Ｕｎｉｔ）１１１、ＲＯＭ（Ｒｅａｄ  Ｏｎｌｙ  Ｍｅｍｏｒｙ）１１２、ＲＡＭ（Ｒａｎｄｏｍ  Ａｃｃｅｓｓ  Ｍｅｍｏｒｙ）１１３、固定記憶装置（ＨＤＤ：Ｈａｒｄ  Ｄｉｓｋ  Ｄｒｉｖｅ）１１４、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ  ）１１５、ジョブログ情報記憶部１１６、課金テーブル格納部１１７、課金管理部１１８等を備える。
【００２１】
ＲＯＭ１１２には、画像処理装置１００で実行される動作を制御するための各種のプログラムが格納されており、ＣＰＵ１１１は、ＲＯＭ１１２から必要なプログラムを読み出し、スキャナ部１０２やプリンタ部１０３等の動作をタイミングを取りながら統一的に制御して、各種のジョブを円滑に実行させる。
ＲＡＭ１１３は、ＣＰＵ１１１がデータの演算或いは加工等を行う際に使用するワークエリアとしての役割を果たすメインメモリである。
【００２２】
ＨＤＤ１１４は、データをファイル形式で記憶する。また、ＲＡＭ１１３の処理容量を超えるデータがある場合は、スワップ領域として使用される。
ＥＥＰＲＯＭ１１５は、課金管理サーバ２００よりダウンロードした課金テーブルやユーザー残金情報等を一時的に記憶する。
ジョブログ情報記憶部１１６は、画像処理装置１００が実行した画像処理ジョブに係る詳細情報である「ジョブログ情報」を記憶する。
【００２３】
課金テーブル格納部１１７は、課金テーブルを格納する。
課金管理部１１８は、画像処理装置１００が実行する画像処理ジョブに対して課金量を算出し、ユーザーのログイン情報およびユーザーＩＤと関連付けて記憶する。
なお、前記ジョブログ情報記憶部１１６および課金テーブル格納部１１７は、独立した装置として構成されていなくてもよく、その機能をＥＥＰＲＯＭ１１５もしくはＨＤＤ１１４に行わせるとしてもよい。
（１−３．課金管理サーバ２００の構成）
図３は、課金管理サーバ２００の概略構成を示す制御ブロック図である。同図に示すように、当該課金管理サーバ２００は、ユーザーインターフェース部（ＵＩ部）２０１、通信Ｉ／Ｆ部２０４等を備え、それらはそれぞれ制御部２１０に接続されている。
【００２４】
ＵＩ部２０１は、表示装置２０２および入力装置２０３から成り、これらは、例えば管理者が課金情報を閲覧する場合や、課金パラメータの追加、削除や修正を加える場合に、当該課金情報を表示し、あるいはデータ入力手段を提供する。
通信Ｉ／Ｆ部２０４は、ＬＡＮ１等のネットワークを介して、画像処理装置１００との間で、ジョブログ情報やユーザーＩＤ等の送受信を行う。
【００２５】
制御部２１０は、主な構成要素として、ＣＰＵ２１１、ＲＯＭ２１２、ＲＡＭ２１３、ＨＤＤ２１４、ＥＥＰＲＯＭ２１５、認証処理部２１６、ジョブログ情報特定部２１７、課金管理部２１８等を備える。
ＲＯＭ２１２には、課金計算や課金管理等に必要なアプリケーションプログラムが格納され、ＣＰＵ２１１は、必要な時に当該プログラムを読み出して起動させる。ＲＡＭ２１３は、ＣＰＵ２１１のワークエリアとして用いられる。
【００２６】
ＥＥＰＲＯＭ２１５は、画像処理装置１００から送信された画像処理ジョブに関する情報や課金情報およびそれらに基づいて算出したした残金情報を一時的に保存する。
認証処理部２１６は、ユーザーＩＤとパスワードおよび残金が関連付けられた図７に示すようなユーザー課金管理テーブルや、ユーザーの認証処理に必要なアプリケーションプログラムが格納され、ユーザーがログインする際に当該プログラムを読み出して起動させ、ユーザーＩＤとパスワードを参照し、一致するかどうかを確認してユーザーの認証処理を行う。また、当該ユーザー課金管理情報に、ユーザーのジョブ実行履歴や課金履歴、ログイン履歴等の情報を加えてもよい。
【００２７】
ジョブログ情報特定部２１７は、画像処理装置より送信されたジョブログ情報より目的のジョブＩＤ（個々のジョブログ情報を識別するために付された数字や記号等の識別情報）に関連付けられたジョブログ情報を特定、抽出する。
課金管理部２１８は、各ユーザーが実行したジョブに対する課金計算を行い、それぞれのユーザーの残金、課金履歴等の課金情報を格納し、管理する。
【００２８】
なお、認証処理部２１６、ジョブログ情報特定部２１７、課金管理部２１８はそれぞれ独立した装置でなくてもよく、ＲＯＭ２１２、ＲＡＭ２１３、ＨＤＤ２１４およびＥＥＰＲＯＭ２１５のうちひとつもしくは複数のデバイスとＣＰＵ２１１との組合せにより構成されるユニットが、上記の機能を実行するとしても良い。
（１−４．課金管理処理の概略）
図４は、本実施の形態に係る課金管理処理の流れを示す概略図である。なおここで、「簡略課金テーブル」とは、ジョブ実行前に課金量が残金の範囲内であるかどうかを算出するための限定的な課金項目のみを搭載した簡略な課金テーブルであり、簡略課金テーブルと「クリック情報」（ユーザーが入力設定したジョブの設定情報およびそれを基に簡略課金テーブルを用いて算出した１枚毎の簡略課金量に、画像処理装置１００が取得した処理枚数情報を加えた情報）に従って算出された課金量を「簡略課金量」という。これに対して、詳細な項目に亘って課金情報を搭載した課金テーブルを「詳細課金テーブル」と呼び、詳細課金テーブルとジョブログ情報とにより算出される課金量を「詳細課金量」と呼ぶ。
（１）まず、ユーザーがユーザーＩＤとパスワードを入力してログインした際に、画像処理装置１００は、当該ユーザーの残金情報と図８に示すような当該ユーザー用の簡略課金テーブルを、課金管理サーバ２００からダウンロードする。
（２）画像処理装置１００は、取得した簡略課金テーブルとクリック情報に基づいて、簡略課金量の算出を行う。
（３）簡略課金量が残金以内であれば、画像処理装置１００はジョブを実行する。
（４）画像処理装置１００は、実行したジョブに関する情報を保存する。
（５）ジョブの実行が終了すると、画像処理装置１００は、ユーザーＩＤ、クリック情報、簡略課金量、ジョブログ情報を課金管理サーバ２００に通知する。
（６）課金管理サーバ２００は、受信した簡略課金量に基づいて課金管理情報を更新し、一時的に保存する。更に、取得したクリック情報とジョブログ情報のパラメータ値を比較し、簡略課金量がジョブの実態に即した妥当なものであるかどうかを判定する。
（７）簡略課金量が妥当なものであると判定されれば、課金管理サーバ２００は、簡略課金量に従って更新された課金管理情報を保存する。妥当でないと判定されれば、ジョブログ情報を基に詳細課金量を算出し、算出した詳細課金量と簡略課金量との差額を返却／追徴し、差額に従って課金管理情報を修正し保存する。
（１−５．画像処理装置におけるジョブ処理）
図５に実施の形態１の、画像処理装置１００におけるジョブ処理のフローチャートを示す。
【００２９】
まず、画像処理装置１００の操作パネル１０１（図２参照）、もしくはクライアント装置３００の入力装置２０２（図３参照）より入力されたユーザーのログイン情報（ユーザーＩＤ、パスワード）を受け付け、当該情報をログイン認証要求と共に課金管理サーバ２００に送信する（ステップＳ１、ステップＳ２）。すると課金管理サーバ２００側でログイン認証処理が行われ、認証に成功したかどうか画像処理装置１００に通知される。認証成功であれば、課金管理サーバ２００より送信される認証成功通知を受信し（ステップＳ３：ＹＥＳ）、ログインしたユーザーの残金情報と当該ユーザー用の簡略課金テーブルを取得したい旨を課金管理サーバ２００に通知し、残金情報と簡略課金テーブルを課金管理サーバ２００よりダウンロードする（ステップＳ４、ステップＳ５）。
【００３０】
次に、ダウンロードした簡略課金テーブルとクリック情報より簡略課金量を算出し（ステップＳ６）、簡略課金量が残金の範囲内であるかの判定が行われる（ステップＳ７）。簡略課金量が残金の範囲内であれば、ジョブが実行され（ステップＳ７：ＹＥＳ、ステップＳ８）、実行したジョブの詳細情報を保存する（ステップＳ９）。ここで保存されるジョブの詳細情報には、画質、シート種類、シートサイズ、両面／片面、カラーモード、トナー使用量およびＦＡＸ通信時間等の情報が含まれる。なお、例えば１枚分のトナー使用量は、プリント時の１ラインのドット数をドットカウンターによりカウントし、それを１枚分積算させ、１ドット当たりのトナー使用量を乗算することにより求めることができる。
【００３１】
その後、ジョブが全て終了したかどうかの判定が行われる。全て終了であれば、ジョブログ情報を作成する（ステップＳ１０：ＹＥＳ、ステップＳ１１）。ジョブがすべて終了していなければ、残りのジョブを実行する（ステップＳ１０：ＮＯ、ステップＳ８）。全てのジョブが終了するまで、ステップＳ８からステップＳ１０を繰り返す。ここでジョブが全て終了していないと判定される場合としては、例えば、同一の原稿を複数の宛先にＦＡＸ送信する際に、未送信の宛先がある場合等である。
【００３２】
最後に、ユーザーＩＤ、クリック情報、およびジョブログ情報を課金管理サーバに送信して、ジョブ処理を終了する（ステップＳ１２）。
ステップＳ３において、ログイン認証に失敗した場合には（認証成功通知を受信しなかった場合には）（ステップＳ３：ＮＯ）、そのまま終了する。なお、ユーザーのログイン認証失敗情報をジョブログ情報として作成し、ユーザーＩＤと共に課金管理サーバ２００に送信して、ユーザー管理情報として利用するとしてもよい。
【００３３】
ステップＳ７において、簡略課金量が残金を超過した場合、ジョブの実行が禁止され（ステップＳ１３）、そのまま終了する。なお、ジョブ実行禁止情報をジョブログ情報として作成し、ユーザーＩＤと共に課金管理サーバ２００に送信して、課金管理サーバ２００においてユーザー管理情報として利用するとしてもよい。
（１−６．課金管理サーバにおけるジョブ処理）
図６に課金管理サーバ２００におけるジョブ処理のフローチャートを示す。
【００３４】
まず、ユーザーログイン情報と共にユーザーログイン認証要求を画像処理装置１００より受信し、ユーザーＩＤとパスワードを参照して一致するかどうかを確認してログイン認証を行う（ステップＳ１０１）。
認証成功であれば、認証成功通知を画像処理装置１００に送信する（ステップＳ１０２：ＹＥＳ、ステップＳ１０３）。
【００３５】
次に、ログインしたユーザーの残金情報および当該ユーザー用の簡略課金テーブル取得要求を画像処理装置１００より受信すると、要求された残金情報と簡略課金テーブルを画像処理装置１００に送信する（ステップＳ１０４、ステップＳ１０５）。
ジョブ実行後、画像処理装置１００より、ユーザーＩＤ、クリック情報、ジョブログ情報、簡略課金量を受信し、受信した簡略課金量を基に課金管理情報を更新し、一時的にＥＥＰＲＯＭ２１５（図３参照）に保存する（ステップＳ１０６、ステップＳ１０７）。次に、クリック情報とジョブログ情報のパラメータ値を比較し、簡略課金量がジョブの実態に即した妥当なものであるかどうかの判定が行われる（ステップＳ１０８、ステップＳ１０９）。
【００３６】
クリック情報とジョブログ情報のパラメータ値に相違が無く、簡略課金量が妥当なものであると判定された場合、ステップＳ１０７においてＥＥＰＲＯＭ２１５に一時的に保存された課金管理情報をＨＤＤ２１４（図３参照）に保存して終了する（ステップＳ１０９：ＹＥＳ、ステップＳ１１２）。
ステップＳ１０９において、クリック情報とジョブログ情報のパラメータ値に食い違いがあり、簡略課金量が妥当でないと判定された場合、課金管理サーバ２００のＲＯＭ２１２（図３参照）に予め格納されている詳細課金テーブルを読み出し、取得したジョブログ情報を基に詳細課金量を算出して、簡略課金量との差額を返却もしくは追徴し、ステップＳ１０７において一時的に保存された課金管理情報を修正した後、修正後の課金管理情報をＨＤＤ２１４（図３参照）に保存して終了する（ステップＳ１０９：ＮＯ、ステップＳ１１０、ステップＳ１１１、ステップＳ１１２）。このようにクリック情報とジョブログ情報のパラメータ値を比較して、相違がある場合にのみ詳細課金量を算出する構成にすることで、全てのジョブについて課金管理サーバ２００が詳細課金量を算出する場合と比較して、当該課金管理サーバ２００に生じる負荷を軽減する効果がある。なお、詳細課金テーブルは、ＨＤＤ２１４（図３参照）に格納されているとしてもよく、ステップＳ１０７において、課金管理情報を一時的に保存するメディアはＨＤＤ２１４（図３参照）としてもよい。
【００３７】
ステップＳ１０２において、ユーザーログイン認証に失敗した場合、認証に失敗した旨を課金管理サーバ２００から画像処理装置１００に通知し（ステップＳ１１３）、終了する。ここで、通知内容を基に画像処理装置１００がジョブログ情報を作成してユーザーＩＤと共に課金管理サーバ２００へと送信し、当該ジョブログ情報を課金管理サーバ２００において、ユーザー管理情報として利用するとしてもよい。
【００３８】
図７に、ユーザー課金管理テーブルの一例を示す。同図に示すように、ユーザーＩＤ、パスワード、残金の情報がテーブルを構成している。認証処理部２１６（図３参照）は、当該テーブルのユーザーＩＤとパスワードを参照し、一致するかどうか判定して認証処理を行う。また、課金管理部２１８（図３参照）は、ユーザーＩＤを基に当該テーブルを参照して、ユーザーの残金情報を取得する。
【００３９】
図８に、簡略課金テーブルの一例を、図９に詳細課金テーブルの一例を示す。これらの図から伺えるように、簡略課金テーブルは詳細課金テーブルの課金パラメータのうち、使用頻度が高いと考えられる一部のパラメータのみを搭載したものとなっている。なお、簡略課金テーブルでは、コピー／プリントの場合、シート種類は普通紙、印刷は片面、画質は普通が標準設定となっており、簡略課金量は、普通紙、片面、普通画質として全て計算される。ＦＡＸ送信の場合は、シートサイズはＡ４以下、画質は普通、カラーモードは白黒が標準設定となっており、簡略課金量は、シートサイズＡ４以下、普通画質、白黒として全て計算される。なお、図９の詳細課金テーブルにおいて、コピー／プリント機能を使用した場合、普通紙や片面、画質＝普通の単価が０円となっているのは、これらは標準設定として予め簡略課金テーブル（図８参照）の単価に含まれているためである。また、簡略課金テーブルにおいて、画質＝低の単価が−５円となっているのは、標準設定で普通画質として課金しているので、低画質モードでプリントした場合には、１枚につき５円返却されることを意味する。ＦＡＸ送信機能を使用した場合に、シートサイズがＡ４よりも大きな場合に一枚につき１０円を追加で課金するのは、送信先のＦＡＸ機械のアウトプットがＡ４よりも大きなサイズに対応していない可能性があり、読み込んだ原稿の画像データをＡ４サイズに収まるように縮小等の処理が必要となると考えられるためである。
【００４０】
ここで、コピー／プリント機能使用時にトナー使用量に応じて課金する場合や、ＦＡＸ送信時に通信時間に応じて課金する場合、画質による課金の追徴や返却は行わないとしてもよい。というのも、低画質モードの場合は、プリント時のトナー使用量が少なくなり、或いは、ＦＡＸ送信時のデータサイズが小さいためＦＡＸ送信時間が比較的短時間となり、結果的に課金量が少なく、また高画質モードの場合は、その逆になるので、画質モードのパラメータを使用する必要が無いと思われるためである。また、ここで例示した簡略課金テーブルには掲載されていないが、標準的な１枚毎のトナー使用量を想定して、簡略課金テーブルに設定しておくとしてもよい。
【００４１】
なお、図８、図９に示された簡略課金テーブルおよび詳細課金テーブルは一例であり、上記のような条件に限られないことは言うまでも無い。
図１０にクリック情報の一例を、図１１にジョブログ情報の一例を示す。クリック情報ではシート種類が普通紙となっているが、ジョブログ情報ではＯＨＰシートとなっており、簡略課金量算出時には普通紙として計算されているが、実際にはＯＨＰシートが使用されていることがジョブログ情報より伺える。そのため、図６のステップＳ１０８において、クリック情報とジョブログ情報のパラメータ値を比較する際に食い違いが検出され、ステップＳ１０９において、簡略課金量は妥当でないと判定されることとなり、普通紙として算出された簡略課金量ではなく、ＯＨＰシート使用となっているジョブログ情報および詳細課金テーブルに基づいて計算された詳細課金量に基づいて正確な課金が行われ、課金管理情報が更新される。
【００４２】
なお、普通紙であるかＯＨＰシートであるかは、画像処理装置のシート搬送経路において、給紙カートリッジと排紙口の間の何れかの箇所に、シートの透過性を測定するセンサーを設置する等の方法で容易に判定することが出来る。
図１２に、ジョブ終了後に画像処理装置１００から課金管理サーバ２００へと送信される通知情報の一例を示す。通知情報の構成要素（ユーザーＩＤ、クリック情報、簡略課金量、ジョブログ情報）が１つのテーブルを成している。なお、当該通知情報は同図に示す様態に限られるものではなく、上記の構成要素がそれぞれ個別に課金管理サーバ２００に送信されるとしてもよい。なお、その場合は、それぞれの構成要素が同一のジョブに関するものであることを課金管理サーバ２００が容易に認識できるように、例えば、個々のジョブに付される識別のための情報であるジョブＩＤを、全ての構成要素に付して課金管理サーバ２００へと送信する等の方策を講じるとしてもよい。
＜実施の形態２＞
実施の形態２は、オフィスなどで画像処理装置や社内の通信ネットワークを利用するユーザーの多い勤務時間中等に、ファイルサイズの大きなジョブログ情報をジョブの実行毎に送信することにより、ネットワークに通信負荷がかかる事態を回避することを目的とした形態である。本実施の形態における全体構成や画像処理装置１００の構成および課金管理サーバ２００の構成は実施の形態１と同様であるので、ここでは詳しい説明は省略する。
（２−１．課金管理処理の概略）
図１３は、実施の形態２に係る課金管理処理の流れを示す概略図である。（１）から（３）までは、図４と同様であるので、ここでは詳しい説明は省略する。
（４）画像処理装置１００は、実行したジョブに関する情報を保存し、実行したジョブを特定するためのインデックスとして機能する情報である、当該ジョブ情報に関連付けられたジョブログＩＤを作成する。ジョブログＩＤ作成のタイミングは、ジョブの種類に応じたタイミングで作成してもよい。例えば、プリントジョブの場合は、一連のジョブが終了する毎に、ＦＡＸ送信ジョブの場合は一連のジョブであっても１通信単位毎にジョブログＩＤを生成するとしてもよい。
（５）画像処理装置１００は、ユーザーＩＤ、ジョブログＩＤ、クリック情報、簡略課金量を課金管理サーバ２００に送信する。
（６）課金管理サーバ２００は、受信した簡略課金量を基に課金管理情報の仮更新を行う。
（７）課金管理サーバ２００は、予め設定された時刻、例えば深夜等に、画像処理装置１００に対してジョブログ情報取得要求を送信する。
（８）画像処理装置１００は、要求されたジョブログ情報を、課金管理サーバ２００に送信する。
（９）課金管理サーバ２００は、取得したジョブログ情報と（５）で取得したクリック情報のパラメータ値を比較し、簡略課金量の妥当性を判定する。
（１０）簡略課金量が妥当なものである場合は、仮更新された課金管理情報をそのまま保存して終了する。簡略課金量が妥当でないと判定された場合は、ジョブログ情報より詳細課金量を算出して差額を追徴もしくは返却し、（６）で仮更新した課金管理情報を修正し、保存して終了する。
（２−２．画像処理装置におけるジョブ処理）
図１４に、実施の形態２の画像処理装置１００におけるジョブ処理のフローチャートを示す。
【００４３】
ステップＳ２０１からＳ２１１は、図５のステップＳ１からＳ１１と同様であるので、ここでは詳しい説明は省略する。
画像処理装置１００において、全ジョブ終了後にジョブログ情報およびジョブログＩＤが作成されると（ステップＳ２１０：ＹＥＳ、ステップＳ２１１）、次に、画像処理装置１００はユーザーＩＤ、ジョブログＩＤ、クリック情報、簡略課金量を課金管理サーバ２００に送信する（ステップＳ２１２）。
【００４４】
その後、画像処理装置１００は、予め設定された時刻、例えばオフィスのネットワーク利用者が少ない深夜等に、ジョブログ情報を課金管理サーバ２００に送信する（ステップＳ２１３）。
ステップＳ２１３のジョブログ情報送信処理のサブルーチンを図１５に示す。まず、予め設定された時刻に課金管理サーバ２００より送信されるジョブログ情報ファイル作成要求を、画像処理装置１００は受信し、要求されたジョブログ情報ファイルを作成する（ステップＳ２１３１、ステップＳ２１３２）。ジョブログ情報ファイルの作成が完了すると、画像処理装置１００はジョブログ情報ファイル作成完了通知を課金管理サーバ２００に送信する（ステップＳ２１３３）。それに呼応して課金管理サーバ２００より送信されたジョブログ情報ファイル取得要求を受信し、要求されたジョブログ情報ファイルを課金管理サーバ２００に送信して（ステップＳ２１３４、ステップＳ２１３５）、図１４のメインルーチンにリターンし、終了する。
【００４５】
なお、ステップＳ２１３１において、課金管理サーバ２００より送信されてくるジョブログ情報ファイル作成要求には、画像処理装置１００が作成するジョブログ情報ファイルについて、ファイル形式の指定（例えばＸＭＬやＸＬＳ等）や、どのジョブからどのジョブまでのジョブログ情報を送信するかといった指示も含まれている。
（２−３．課金管理サーバにおけるジョブ処理）
図１６に、課金管理サーバにおけるジョブ処理のフローチャートを示す。
【００４６】
ステップＳ３０１からＳ３０５は、図６のステップＳ１０１からＳ１０５と同様であるので、ここでは詳しい説明は省略する。
画像処理装置１００においてジョブが実行されると、当該画像処理装置１００より、実行されたジョブについてのジョブログＩＤ、ユーザーＩＤ、クリック情報、簡略課金量を受信する（ステップＳ３０６）。受信した簡略課金量を基に課金管理情報を更新し、一時的にＥＥＰＲＯＭ２１５（図３参照）に保存する（ステップＳ３０７）。なお、ここで一時的に保存するメディアとして、ＥＥＰＲＯＭ２１５の代わりにＨＤＤ２１４（図３参照）を使用するとしてもよい。
【００４７】
その後、課金管理サーバ２００は、予め設定された時刻、例えばオフィスのネットワーク利用者が少ない深夜等に、ジョブログ情報を課金管理サーバ２００より取得して課金管理情報の最終的な更新を行う（ステップＳ３０８）。
ステップＳ３０８の課金管理情報更新処理のサブルーチンを図１７に示す。まず、課金管理サーバ２００は、予め設定された時刻に、画像処理装置１００に対してジョブログ情報ファイルを作成するように要求する（ステップＳ３０８０）。要求されたジョブログ情報ファイルの作成が完了すると、画像処理装置１００より送信される作成完了通知を受信し、次に作成されたジョブログ情報ファイルの取得を画像処理装置１００に対して要求する（ステップＳ３０８１、ステップＳ３０８２）。
【００４８】
課金管理サーバ２００は、ジョブログ情報ファイル取得要求に応じて画像処理装置１００から送られてきたジョブログ情報ファイルを受信すると、図１６のステップＳ３０６において既に取得してあるジョブログＩＤを基に、受信したジョブログ情報ファイルから、目的のジョブログ情報を特定する（ステップＳ３０８３、ステップＳ３０８４）。
次に、図１６のステップＳ３０６において既に取得してあるクリック情報と、ステップＳ３０８４において特定されたジョブログ情報の課金パラメータ値を比較する（ステップＳ３０８５）。双方の課金パラメータ値が一致している場合は、簡略課金量がジョブの実態に即した妥当なものであるとして、図１６のステップＳ３０７において一時的に保存された課金管理情報をそのまま最終的な課金管理情報としてＨＤＤ２１４（図３参照）に保存し（ステップＳ３０８６：ＹＥＳ、ステップＳ３０８９）、図１６のメインルーチンにリターンする。
【００４９】
クリック情報とジョブログ情報のパラメータ値に相違がある場合は、簡略課金量が妥当なものではないとして、ＲＯＭ２１２（図３参照）に予め格納されている詳細課金テーブルおよびジョブログ情報より、詳細課金量を算出し、簡略課金量と詳細課金量の差額を返却もしくは追徴し、図１６のステップＳ３０７において一時的に保存された課金管理情報を修正して、ＨＤＤ２１４に保存し（ステップＳ３０８６：ＮＯ、ステップＳ３０８７、ステップＳ３０８８、ステップＳ３０８９）、図１６のメインルーチンにリターンする。
【００５０】
図１８に、本実施の形態におけるジョブ終了後の画像処理装置１００から課金管理サーバ２００への通知情報の一例を示す。通知情報の構成要素（ユーザーＩＤ、ジョブログＩＤ、クリック情報、簡略課金量）が１つのテーブルを成している。なお、当該通知情報は同図に示す様態に限られるものではなく、上記の構成要素がそれぞれ別々に課金管理サーバ２００に送信されるとしてもよい。なお、その場合は、それぞれの構成要素にジョブＩＤを付して、同一のジョブに関するものであることを課金管理サーバ２００が容易に認識できるようにしてもよい。
＜実施の形態３＞
実施の形態３は、例えば、画像変換ジョブ等の画像処理装置１００が行わない画像処理ジョブを、システムの外部に存在するサーバ等の装置により提供されるサービス（以下、「外部サービス」という。）を利用して行う場合、および外部サービスと連携した画像処理ジョブを画像処理装置が実行する場合における実施の形態である。以下、本実施の形態を図面に基づいて説明する。なお、本実施の形態においては、システムに複数の画像処理装置が接続されている場合等に、外部サービス提供サーバにより実行されたジョブがどの画像処理装置のジョブと連携しているのかという点において、混乱や誤りが生じる可能性を極力排除するために、課金管理サーバ２００と外部サービス提供サーバ４００は直接接続されることは無く、課金処理を含めた全ての通信は画像処理装置を通じて行われる構成となっている。
（３−１．全体構成）
図１９は、本発明の実施の形態３に係るシステムの概略構成を示す図である。
【００５１】
同図に示すように、本実施の形態におけるシステムは、実施の形態１および２のシステムに、ネットワークを介して外部サービス提供サーバ４００が接続された構成となっている。
画像処理装置１００、課金管理サーバ２００、およびクライアント装置３００については、実施の形態１および２と同様であるため、ここでは詳しい説明は省略する。
【００５２】
外部サービス提供サーバ４００は、画像処理装置１００を通じて、もしくは画像処理装置１００と連携して、当該画像処理装置１００が行わないジョブを実行するサービスを提供する。具体的には、例えば、画像処理装置１００がスキャンした画像データを、表計算ソフトウェア（例えば、マイクロソフトエクセル等）で使用できるファイル形式や、文書編集ソフトウェア（例えば、マイクロソフトワード等）で使用できるファイル形式に変換するサービス等である。
（３−２．サービス提供サーバ４００の構成）
図２０は、サービス提供サーバ４００の概略構成を示すブロック図である。同図に示すように、当該外部サービス提供サーバ４００は、ユーザーインターフェース部（ＵＩ部）４０１、通信Ｉ／Ｆ部４０４等を備え、それらはそれぞれ制御部４１０に接続されている。
【００５３】
ＵＩ部４０１は、表示装置４０２および入力装置４０３から成り、これらは、例えばジョブ実行の際にエラーが生じた場合や、管理者がメンテナンスを行う場合等に、当該エラーメッセージやメンテナンス情報を表示し、あるいはメンテナンスやエラー原因解決のための入力手段を管理者に提供する。
通信Ｉ／Ｆ部４０４は、ＬＡＮやＷＡＮ（Ｗｉｄｅ  Ａｒｅａ  Ｎｅｔｗｏｒｋ）、インターネット等のネットワークを介して、画像処理装置１００との間で、ジョブの発注・受注を行い、ジョブデータ、課金テーブル、ジョブログ情報、課金量等の送受信を行う。
【００５４】
制御部４１０は、主な構成要素として、ＣＰＵ４１１、ＲＯＭ４１２、ＲＡＭ４１３、ＨＤＤ４１４、ＥＥＰＲＯＭ４１５、画像加工・処理部４１６等を備える。
ＲＯＭ４１２には、外部サービス提供サーバ４００が提供するサービスについての簡略課金テーブルおよび詳細課金テーブルが格納されており、更に、画像加工や画像処理等に必要なアプリケーションプログラムが格納され、ＣＰＵ４１１は、必要な時に当該プログラムを読み出して起動させる。ＲＡＭ４１３は、ＣＰＵ４１１のワークエリアとして用いられる。
【００５５】
ＥＥＰＲＯＭ４１５は、画像処理装置１００から送信されたジョブ情報等を一時的に保存する。
画像加工・処理部４１６は、画像処理装置１００から要求された画像加工・処理ジョブを実行する。なお、当該画像加工・処理部４１６は独立した装置でなくてもよく、ＲＯＭ４１２、ＲＡＭ４１３、ＨＤＤ４１４およびＥＥＰＲＯＭ４１５のうちひとつもしくは複数のデバイスとＣＰＵ４１１との組合せにより構成されるユニットが、画像加工・処理部４１６の機能を実行するとしても良い。
（３−３．外部サービス利用時の課金管理処理の概要）
図２１は、実施の形態３に係る課金管理処理の流れを示す概略図である。
（１）まず、ユーザーがログインした際に、画像処理装置１００は、当該ユーザーの残金情報と当該ユーザー用の簡略課金テーブル（画像処理装置１００用）を、課金管理サーバ２００からダウンロードする。
（２）次に、画像処理装置１００は、ユーザーからのジョブを受け付けた後、所望の外部サービス提供サーバ４００から外部サービス用の簡略課金テーブルおよび詳細課金テーブルをダウンロードし、当該詳細課金テーブルを課金管理サーバ２００に渡す。
（３）画像処理装置１００は、取得した簡略課金テーブル（画像処理装置１００用と外部サービス提供サーバ４００用）とユーザーが選択したジョブ設定、処理枚数に基づいて、簡略課金量の算出を行う。
（４）簡略課金量が残金以内であれば、画像処理装置１００はジョブを実行し、更に外部サービス提供サーバ４００に対してジョブ実行の指令を送信する。なお、ジョブの内容によっては、画像処理装置１００はジョブを実行せずに、外部サービス提供サーバ４００へのジョブ実行指令を送信するのみである場合もある。
（５）外部サービス提供サーバ４００は、画像処理装置１００より要求されたジョブを実行する。（以下、外部サービス提供サーバ４００において実行されたジョブを「サービスジョブ」という。）
（６）サービスジョブの実行が終了すると、外部サービス提供サーバ４００は、実行したサービスジョブについての詳細な情報（以下、「サービスログ情報」という。）を保存する。
（７）外部サービス提供サーバ４００は、サービスログ情報を画像処理装置１００に送信する。
（８）画像処理装置１００は、受信したサービスログ情報と、ユーザーＩＤ，クリック情報、簡略課金量およびジョブログ情報（画像処理装置１００で実行されたジョブがある場合）を関連付けて保存する。
（９）画像処理装置１００は、サービスログ情報、ユーザーＩＤ，クリック情報、簡略課金量およびジョブログ情報（画像処理装置１００で実行されたジョブがある場合）を課金管理サーバ２００に送信する。
（１０）課金管理サーバ２００は、受信した簡略課金量に基づいて課金管理情報を更新し、一時的に保存する。更に、取得したクリック情報とサービスログ情報およびジョブログ情報（画像処理装置１００で実行されたジョブがある場合）のパラメータ値を比較し、簡略課金量がジョブの実態に即した妥当なものであるかどうかを判定する。
（１１）簡略課金量が妥当なものであると判定された場合は、課金管理サーバ２００は、簡略課金量に従って更新された課金管理情報を保存する。妥当でないと判定された場合は、ジョブログ情報を基に詳細課金量を算出し、算出した詳細課金量と簡略課金量との差額を返却／追徴し、課金管理情報を修正して保存する。
（１２）課金管理サーバ２００は、（１１）の結果に従って外部サービス利用料を決定し、画像処理装置１００を介して外部サービス提供サーバ４００にサービス利用料を支払う。
（３−４．画像処理装置におけるジョブ処理）
図２２に、実施の形態３の画像処理装置１００におけるジョブ処理のフローチャートを示す。
【００５６】
ステップＳ４０１からＳ４０３までは、図５のステップＳ１からＳ３までと同様であるので、ここでは詳しい説明は省略する。
ステップＳ４０３において、課金管理サーバ２００でユーザーログイン認証に成功した場合、画像処理装置１００は、当該ユーザーの残金情報と当該ユーザー用の簡略課金テーブルの取得要求を課金管理サーバ２００に送信する（ステップＳ４０３：ＹＥＳ、ステップＳ４０４）次に、画像処理装置１００はユーザーからのジョブを受け付けた後に、所望の外部サービスの簡略課金テーブルおよび詳細課金テーブルの取得要求を外部サービス提供サーバ４００に送信する（ステップＳ４０５）。
【００５７】
前期ステップＳ４０４の要求に応じて課金管理サーバ２００から送信された残金情報および簡略課金テーブルを受信する（ステップＳ４０６）。
前記ステップＳ４０５の要求に応じて外部サービス提供サーバ４００から送信された簡略課金テーブルおよび詳細課金テーブルを受信し、詳細課金テーブルを課金管理サーバ２００に送信する（ステップＳ４０７）。
【００５８】
課金管理サーバ２００および外部サービス提供サーバ４００から受信した簡略課金テーブルに基づいて簡略課金量を算出し、残金の範囲内であるかどうかを判定する（ステップＳ４０８、ステップＳ４０９）。
簡略課金量が残金の範囲内である場合、画像処理装置１００はスキャンジョブ等のジョブを実行して、得られた画像ファイルと共にサービス実行要求を外部サービス提供サーバ４００に送信する（ステップＳ４０９：ＹＥＳ、ステップＳ４１０）。なお、例えば、画像処理装置１００に記憶保存されている画像ファイルを用いる場合など、外部サービスのみを利用して画像処理装置１００側で特にジョブを実行しない場合には、そのまま必要なファイルと共にサービス実行要求を外部サービス提供サーバ４００に送信する。
【００５９】
次に、画像処理装置１００側で実行したジョブの情報を保存し（ステップＳ４１１）、外部サービス提供サーバ４００に対してサービスログ情報の取得を要求する（ステップＳ４１２）。なお、画像処理装置１００側でジョブを実行しない場合には、ステップＳ４１１は省略される。
画像処理装置１００は、サービス提供サーバ４００より送られてきたサービスログ情報を受信すると（ステップＳ４１３）、当該サービスログ情報にユーザーＩＤ、クリック情報、簡略課金量およびジョブログ情報（画像処理装置１００がジョブを実行した場合）を関連付けて保存し（ステップＳ４１４）、これらの情報を課金管理サーバ２００に送信する（ステップＳ４１５）。
【００６０】
課金管理サーバ２００が算出したサービス利用料を当該課金管理サーバ２００より受信し、当該サービス利用料を外部サービス提供サーバ４００に支払い、終了する（ステップＳ４１６、ステップＳ４１７）。
ステップＳ４０３において、ユーザーログイン認証に失敗した場合（認証成功通知を受信しなかった場合（ステップＳ４０３：ＮＯ）は、そのまま終了する。
【００６１】
ステップＳ４０９において、簡略課金量が残金を超過した場合は、直ちにジョブを禁止して（ステップＳ４０９：ＮＯ、ステップＳ４１８）、終了する。
（３−５．外部サービス提供サーバにおけるジョブ処理）
図２３に、実施の形態３の外部サービス提供サーバ４００におけるジョブ処理のフローチャートを示す。
【００６２】
まず、簡略課金テーブルと詳細課金テーブルの取得要求を画像処理装置１００より受信し、要求された２種類の課金テーブルを画像処理装置１００に送信する（ステップＳ５０１、ステップＳ５０２）。
次に、サービス実行要求を画像処理装置１００より受信し、サービスを実行した後、実行したジョブに関する情報を保存する（ステップＳ５０３、ステップＳ５０４、ステップＳ５０５）。
【００６３】
画像処理装置１００よりサービスログ情報取得要求を受信すると、サービスログ情報を作成し、画像処理装置１００に送信する（ステップＳ５０６、ステップＳ５０７）。
最後にサービス利用料を画像処理装置１００より受け取り（ステップＳ５０８）、終了する。
（３−６．課金管理サーバにおけるジョブ処理）
図２４に、実施の形態３の課金管理サーバ２００におけるジョブ処理のフローチャートを示す。
【００６４】
ステップＳ６０１からステップＳ６０５は、図６のステップＳ１０１からステップＳ１０５と同様なため、ここでは詳しい説明は省略する。
ステップＳ６０５において、画像処理装置１００より要求された残金情報および簡略課金テーブルを送信した後、画像処理装置１００より外部サービス提供サーバの詳細課金テーブルを受信し、ＥＥＰＲＯＭ２１５（図３参照）に保存する（ステップＳ６０６）。なお、ここで外部サービス提供サーバの詳細課金テーブルを保存するメディアとして、ＨＤＤ２１４（図３参照）を使用するとしてもよく、また、ステップＳ６０６が、ステップＳ６０４あるいはＳ６０５の直前のステップであっても構わない。
【００６５】
画像処理装置１００および外部サービス提供サーバ４００においてジョブが実行された後、ユーザーＩＤ、サービスログ情報、クリック情報、ジョブログ情報、簡略課金量を画像処理装置１００より受信し（ステップＳ６０７）、受信した簡略課金量を基に課金管理情報を更新し、一時的にＥＥＰＲＯＭ２１５（図３参照）に保存する（ステップＳ６０８）。なお、ここでも、一時的に保存するメディアとして、ＥＥＰＲＯＭ２１５の代わりにＨＤＤ２１４（図３参照）を使用するとしてもよい。
【００６６】
次に、クリック情報とジョブログ情報およびサービスログ情報のパラメータ値を比較し、簡略課金量がジョブの実態に即した妥当なものであるかどうかを判定する（ステップＳ６０９）。簡略課金量が妥当である場合、ステップＳ６０８において一時的に保存された課金管理情報を最終的なものとしてＨＤＤ２１４（図３参照）に保存し、サービス利用料を画像処理装置１００を介して外部サービス提供サーバ４００に支払い、終了する（ステップＳ６１０：ＹＥＳ、ステップＳ６１３、ステップＳ６１４）。簡略課金量が妥当なものでないと判定された場合、ＲＯＭ２１２（図３参照）に予め格納されている詳細課金テーブルとステップＳ６０６で受信した外部サービス提供サーバの詳細課金テーブルおよびジョブログ情報とサービスログ情報を基に詳細課金量を算出し、簡略課金量との差額を返却もしくは追徴して、ステップＳ６０８において一時的に保存された課金管理情報を修正し、ＨＤＤ２１４（図３参照）に保存する（ステップＳ６１０：ＮＯ、ステップＳ６１１、ステップＳ６１２、ステップＳ６１３）。そして最後に、サービス利用料を画像処理装置１００を通じて外部サービス提供サーバ４００に支払い（ステップＳ６１４）、終了する。
【００６７】
ステップＳ６０２において、ユーザーログイン認証に失敗した場合、認証失敗通知を画像処理装置１００に送信し（ステップＳ６０２：ＮＯ、ステップＳ６１５）、終了する。
ステップＳ６１０において、簡略課金量が妥当であると判定された場合、ステップＳ６０８において一時的に保存された課金管理情報を最終的なものとしてＨＤＤ２１４（図３参照）に保存し、サービス利用料を画像処理装置１００を通じて外部サービス提供サーバ４００に支払い（ステップＳ６１０：ＹＥＳ、ステップＳ６１３、ステップＳ６１４）、終了する。
【００６８】
図２５に、外部サービス提供サーバ４００の簡略課金テーブルの一例を、図２６に当該外部サービス提供サーバ４００の詳細課金テーブルの一例を示す。これらの図から伺えるように、簡略課金テーブルは詳細課金テーブルの課金パラメータのうち、使用頻度が高いと考えられる一部のパラメータのみを搭載したものとなっている。簡略課金テーブルでは、エクセル変換サービスとワード変換サービスの双方において、カラーモードは白黒が標準設定となっており、簡略課金量は全て白黒で行うとして計算される。
【００６９】
図２７に、実施の形態３におけるクリック情報の一例を示す。画像処理装置１００が実行したスキャンジョブの情報と、外部サービス提供サーバ４００が実行したエクセル変換サービスの情報、それにそれぞれの一枚ごとの課金量が搭載されている。
図２８に、実施の形態３における外部サービス提供サーバ４００から画像処理装置１００へ通知されるサービスログ情報の一例を示す。同図において、「サービス提供サーバ」の項目には外部サービス提供サーバ４００のサービスをインターネット上に表示するウェブサイトのＵＲＬが記載されているが、これに限られず、ＩＤや数字、記号、ＩＰアドレス等、外部サービス提供サーバ４００を特定すること出来る情報であれば、何れも同様の役割を果たす。
【００７０】
図２９に、本実施の形態における、ジョブ終了後の画像処理装置１００から課金管理サーバ２００への通知情報の一例を示す。通知情報の構成要素（ユーザーＩＤ、ジョブログ情報、サービスログ情報）が１つのテーブルを成している。なお、当該通知情報は同図に示す様態に限られるものではなく、上記の構成要素がそれぞれ別々に課金管理サーバ２００に送信されるとしてもよい。なお、その場合は、それぞれの構成要素にジョブＩＤを付して、同一のジョブに関するものであることを課金管理サーバ２００が容易に認識できるようにしてもよい。
＜変形例＞
以上、本発明を実施の形態に基づいて説明してきたが、本発明が上述の実施の形態に限定されないのは勿論であり、以下のような変形例を実施することが出来る。
（１） 上記実施の形態１から３においては、画像処理装置１００において算出された簡略課金量を基に課金管理サーバ２００において仮の課金を行い、仮の課金管理情報を更新して一時的に保存し、ジョブ終了後に詳細課金量に基づいて課金管理情報を必要に応じて修正し、最終的で正確な課金管理情報として保存するとしているが、これに限られない。例えば、簡略課金量を画像処理装置１００におけるジョブの実行を禁止するかどうかの判定にのみ用い、課金管理サーバ２００において仮の課金および仮の課金情報更新を行わずに、ジョブ終了後に詳細課金量に従って最終的で正確な課金のみを行い、課金管理情報の修正は行わないとしてもよい。
【００７１】
特に、コピー／プリント機能使用時にトナー使用量に応じて課金する場合や、ＦＡＸ送信において通信時間に応じて課金する場合、これらの正確な情報はジョブの終了後でなければわからないため、このような詳細課金量のみに基づいて課金管理サーバ２００における課金管理情報の更新を行う方法は有効である。
更に、仮の課金情報の更新を行わないため、クリック情報とジョブログ情報のパラメータ値比較の必要が無く、その結果、ジョブ終了後に画像処理装置１００から課金管理サーバ２００へと送信される通知情報からクリック情報を除外することができ、送信データの軽量化とネットワーク負荷の更なる低減を図ることが出来る。
（２） 上記実施の形態１から３においては、ジョブ開始前に簡略課金量を求めて残金の範囲内であるかの判定を行い、ジョブの実行を許可するか禁止するかを決定しているが、これに限られず、以下のようにしてもよい。即ち、画像処理装置１００において画像処理ジョブを１枚実行する毎に当該１枚分の簡略課金量を算出して積算していき、積算された簡略課金量が残金の上限に達したらジョブを停止し、それまでに実行した分のジョブログ情報を課金管理サーバ２００に送信するとしてもよい。そのようにすることで、一連のジョブであってもシートサイズやカラーモードの異なるジョブが混在している場合等に、より精度の高い残金管理およびジョブの実行制御を行うことが出来る。
（３） 実施の形態３において、外部サービス提供サーバから受信する課金テーブルには、簡略課金テーブルと詳細課金テーブルの２種類があるが、これに限られず、外部サービス提供サーバから受信する課金テーブルは１種類としてもよい。即ち、簡略、詳細の区別無く、１つの課金テーブルのみが用意されるとしてもよい。その場合、パラメータ値の比較が行われるのは、画像処理装置１００が実行したジョブについてのみ、即ち、クリック情報とジョブログ情報のパラメータ値の比較のみが行われる。
（４） 上記実施の形態１から３においては、画像処理装置１００と課金管理サーバ２００が独立した別々の装置として提示されているが、画像処理装置１００に課金管理サーバ２００の機能も備える構成としてもよい。その場合、画像処理装置１００単体で、実施の形態１から３に示された画像処理システムの役割を果たすことが出来る。図３０に、本変形例における画像処理装置１００の制御ブロック図を示す。操作パネル５０１、スキャナ部５０２、プリンタ部５０３、通信Ｉ／Ｆ部５０４、モデム５０５、ＮＣＵ５０６、ＣＰＵ５１１、ＲＯＭ５１２、ＲＡＭ５１３、ＨＤＤ５１４、ジョブログ情報記憶部５１６、課金テーブル格納部５１７、課金管理部５１８については、それぞれ図２に示された、操作パネル１０１、スキャナ部１０２、プリンタ部１０３、通信Ｉ／Ｆ部１０４、モデム１０５、ＮＣＵ１０６、ＣＰＵ１１１、ＲＯＭ１１２、ＲＡＭ１１３、ＨＤＤ１１４、ジョブログ情報記憶部１１６、課金テーブル格納部１１７、課金管理部１１８と同様であり、認証処理部５１９は、図３に示された認証処理部２１６と同様なため、ここでは詳しい説明は省略する。ＥＥＰＲＯＭ５１５は、ユーザーログイン情報やジョブログ情報、ユーザー残金情報等を一時的に保存する。
（５）上記実施の形態における課金制御処理に関するプログラムは、例えば磁気テープ、フレキシブルディスク等の磁気ディスク、ＣＤ−ＲＯＭ、ＤＶＤ−ＲＯＭ、ＭＯ、ＰＤなどの光記録媒体、Ｓｍａｒｔ  Ｍｅｄｉａ（登録商標）、ＣＯＭＰＡＣＴＦＬＡＳＨ（登録商標）などのフラッシュメモリ系記録媒体等、コンピュータで読み取り可能な各種記録媒体に記録することが可能であり、当該記録媒体の形態で生産、譲渡等がなされる場合もあるし、プログラムの形態で、インターネットを含む有線、無線の各種ネットワーク、放送、電気通信回線、衛星通信等を介して伝送、供給される場合もある。
【００７２】
また、本発明を実現するためのプログラムは、上記に説明した処理をコンピュータに実行させるための全てのモジュールを含んでいる必要は無く、例えば通信プログラムやオペレーティングシステム（ＯＳ）に含まれるプログラムなど、別途情報処理装置にインストールすることができる各種汎用的なプログラムを利用して、本発明の各処理をコンピュータに実行させるようにしてもよい。
【００７３】
また、上記実施の形態および上記変形例の内容を夫々組み合わせるとしてもよい。
【産業上の利用可能性】
【００７４】
本発明の課金管理装置は、画像処理に係るサービスにおいて、課金の上限額に応じた即時的なジョブ実行制御と、詳細正確な課金を両立して行う技術として有用である。
【図面の簡単な説明】
【００７５】
【図１】実施の形態１および２における画像処理システム概要構成図
【図２】画像処理装置１００の概略制御ブロック図
【図３】課金管理サーバ２００の概略制御ブロック図
【図４】実施の形態１における課金管理処理の流れを示す概略図
【図５】実施の形態１における画像処理装置１００のジョブ処理フローチャート
【図６】実施の形態１における課金管理サーバ２００のジョブ処理フローチャート
【図７】ユーザー課金管理テーブル例
【図８】簡略課金テーブル例
【図９】詳細課金テーブル例
【図１０】クリック情報例
【図１１】ジョブログ情報例
【図１２】実施の形態１におけるジョブ終了後の画像処理装置１００から課金管理サーバ２００への通知情報例
【図１３】実施の形態２における課金管理処理の流れを示す概略図
【図１４】実施の形態２における画像処理装置１００のジョブ処理フローチャート
【図１５】図１４のフローチャートにおけるジョブログ情報送信処理のサブルーチンを示すフローチャート
【図１６】実施の形態２における課金管理サーバ２００のジョブ処理フローチャート
【図１７】図１６のフローチャートの課金管理情報更新処理のサブルーチンを示すフローチャート
【図１８】実施の形態２におけるジョブ終了後の画像処理装置１００から課金管理サーバ２００への通知情報例
【図１９】実施の形態３における画像処理システム概要構成図
【図２０】サービス提供サーバ４００の概略制御ブロック図
【図２１】実施の形態３における課金管理処理の流れを示す概略図
【図２２】実施の形態３における画像処理装置１００のジョブ処理フローチャート
【図２３】実施の形態３におけるサービス提供サーバ４００のジョブ処理フローチャート
【図２４】実施の形態３における課金管理サーバ２００のジョブ処理フローチャート
【図２５】外部サービスの簡略課金テーブル例
【図２６】外部サービスの詳細課金テーブル例
【図２７】実施の形態３におけるクリック情報例
【図２８】サービスログ情報例
【図２９】実施の形態３におけるジョブ終了後の画像処理装置１００から課金管理サーバ２００への通知情報例
【図３０】変形例（４）における画像処理装置１００の概略制御ブロック図
【符号の説明】
【００７６】
１                              ＬＡＮ
１００                          画像処理装置
１０１、５０１                  操作パネル
１０２、５０２                  スキャナ部
１０３、５０３                  プリンタ部
１０４、２０４、４０４、５０４  通信Ｉ／Ｆ部
１０５、５０５                  モデム
１０６、５０６                  ＮＣＵ
１１０                          画像処理装置１００の制御部
１１１、２１１、４１１、５１１  ＣＰＵ
１１２、２１２、４１２、５１２  ＲＯＭ
１１３、２１３、４１３、５１３  ＲＡＭ
１１４、２１４、４１４、５１４  ＨＤＤ
１１５、２１５、４１５、５１５  ＥＥＰＲＯＭ
１１６、５１６                  ジョブログ情報記憶部
１１７、５１７                  課金テーブル格納部
１１８、２１８、５１８          課金管理部
２００                          課金管理サーバ
２０１、４０１                  ＵＩ部
２０２、４０２                  表示装置
２０３、４０３                  入力装置
２１０                          課金管理サーバ２００の制御部
２１６、５１９                  認証処理部
２１７                          ジョブログ情報特定部
３００                          クライアント装置
４００                          外部サービス提供サーバ
４１０                          外部サービス提供サーバ４００の制御部
４１６                          画像加工・処理部
【図１】
2010072935.tif 000003
【図２】
2010072935.tif 000004
【図３】
2010072935.tif 000005
【図４】
2010072935.tif 000006
【図５】
2010072935.tif 000007
【図６】
2010072935.tif 000008
【図７】
2010072935.tif 000009
【図８】
2010072935.tif 000010
【図９】
2010072935.tif 000011
【図１０】
2010072935.tif 000012
【図１１】
2010072935.tif 000013
【図１２】
2010072935.tif 000014
【図１３】
2010072935.tif 000015
【図１４】
2010072935.tif 000016
【図１５】
2010072935.tif 000017
【図１６】
2010072935.tif 000018
【図１７】
2010072935.tif 000019
【図１８】
2010072935.tif 000020
【図１９】
2010072935.tif 000021
【図２０】
2010072935.tif 000022
【図２１】
2010072935.tif 000023
【図２２】
2010072935.tif 000024
【図２３】
2010072935.tif 000025
【図２４】
2010072935.tif 000026
【図２５】
2010072935.tif 000027
【図２６】
2010072935.tif 000028
【図２７】
2010072935.tif 000029
【図２８】
2010072935.tif 000030
【図２９】
2010072935.tif 000031
【図３０】
2010072935.tif 000032